(57)【要約】【課題】開閉部材を固定部に対し着脱可能に且つ開閉可能に、簡単に取り付けることができる遊技機用開閉部材のヒンジ構造を提供する【解決手段】このヒンジ３は、パチンコ遊技機の保護カバー２を機構板１に対し着脱可能に且つ開閉可能に装着する。機構板１には軸保持部１０が開口部１３を有して形成され、保護カバー２の縁部には軸保持部１０に開口部１３を通して回動可能に嵌合される軸部１５が形成される。保護カバー２には軸部１５に隣接して軸部１５と同軸上に支持軸部１６が形成され、機構板１には軸保持部１０に隣接してばね弾性保持部１１が支持軸部１６を回動可能に弾性支持するように設けられる。【選択図】図１
2004065442.tif 000002
【特許請求の範囲】
【請求項１】
遊技機用の開閉部材を固定部に対し着脱可能に且つ開閉可能に装着するためのヒンジ構造であって、該固定部には軸保持部が開口部を有して形成され、該開閉部材の縁部には該軸保持部に該開口部を通して回動可能に嵌合される軸部が形成され、該開閉部材には該軸部に隣接して該軸部と同軸上に該支持軸部が形成され、該固定部には該軸保持部に隣接してばね弾性保持部が該支持軸部を回動可能に弾性支持するように設けられたことを特徴とする遊技機用開閉部材のヒンジ構造。
【請求項２】
前記弾性支持部は、自由端を有して弾性変形可能な板状に形成され、前記軸部が前記軸保持部の内側に押し付けるように前記支持軸部を付勢して設けられていることを特徴とする請求項１記載の遊技機用開閉部材のヒンジ構造。
【請求項３】
前記軸部と支持軸部が前記開閉部材と共に合成樹脂により一体成形され、前記軸保持部とばね弾性保持部が前記固定部と共に合成樹脂により一体成形されていることを特徴とする請求項１記載の遊技機用開閉部材のヒンジ構造。
【請求項４】
前記軸保持部は、先端に半円弧状の係止曲げ部を有し、該係止曲げ部の下側に開口部が形成されている請求項１記載の遊技機用開閉部材のヒンジ構造。
【発明の詳細な説明】
【０００１】
【発明の属する技術分野】
本発明は、パチンコ遊技機などの遊技機に使用される保護カバーなどの開閉部材（ウイング）を、機構板等の固定部に対し開閉可能に支持する開閉部材のヒンジ構造に関する。
【０００２】
【従来の技術】
パチンコ遊技機などの遊技機内には、液晶ディスプレイ、各種の電動機器、それらを制御する回路基板など多くの機器や電気部品が装着され、それらの電気部品や機器を保護するために、通常、遊技機の背面側には、保護カバーが取り付けられている。
【０００３】
【発明が解決しようとする課題】
従来の遊技機に装着されるこの種の保護カバーは、合成樹脂により形成され、例えばその周縁部に嵌合部を形成すると共に、固定部となる機構板などに対応する嵌合部を設け、それらの嵌合部を嵌合させて、保護カバーを取り付けていた。
【０００４】
このため、保守点検などの際に、保護カバーを開く場合には、保護カバーを取り外して作業することになり、保護カバーの置き場所に苦慮するという問題があった。
【０００５】
そこで、遊技機の保護カバーを、ヒンジを介して機構板などの被固定部に開閉可能に取り付けることが検討されたが、保護カバーは着脱を必要とするため、ヒンジとしては着脱式のヒンジを使用する必要があり、また、着脱式のヒンジを保護カバーとは別個に製作して固定する場合は、ヒンジの構造が複雑化し、部品点数の増大を伴うと共に、組付けの作業工数が増加するなどの問題があった。
【０００６】
本発明は、上述の課題を解決するものであり、開閉部材を固定部に対し着脱可能に且つ開閉可能に、簡単に取り付けることができる遊技機用開閉部材のヒンジ構造を提供することを目的とする。
【０００７】
【課題を解決するための手段】
上記目的を達成するために、本発明の遊技機用開閉部材のヒンジ構造は、遊技機用の開閉部材を固定部に対し着脱可能に且つ開閉可能に装着するためのヒンジ構造であって、固定部には軸保持部が開口部を有して形成され、開閉部材の縁部には軸保持部に開口部を通して回動可能に嵌合される軸部が形成され、開閉部材には軸部に隣接して軸部と同軸上に該支持軸部が形成され、固定部には軸保持部に隣接してばね弾性保持部が支持軸部を回動可能に弾性支持するように設けられたことを特徴とする。
【０００８】
ここで、上記弾性支持部は、自由端を有して弾性変形可能な板状に形成され、軸部を軸保持部の内側に押し付けるように支持軸部を付勢して設けることができる。また、上記開閉部材は軸部及支持軸部と共に合成樹脂により一体成形し、また、上記固定部は軸保持部及びばね弾性保持部と共に合成樹脂により一体成形することができる。また、上記軸保持部は、先端に半円弧状の係止曲げ部を有し、係止曲げ部の下側に開口部を形成するように構成することができる。
【０００９】
【作用】
上記構成のヒンジ構造は、開閉部材を固定部に対し開閉可能に装着する場合、開閉部材を持って、その支持軸部をばね弾性保持部の上面に当接させて滑らせながら、軸部を軸保持部に嵌め込む。このとき、軸保持部の係止曲げ部は半円弧状で、下側に開口部が形成されているため、軸部を容易に軸保持部に嵌め込むことができる。
【００１０】
そして、軸部を軸保持部に嵌め込んだ状態では、ばね弾性保持部が支持軸部を、軸部を軸保持部の係止曲げ部に押し付ける側に付勢するから、軸部が軸保持部から容易に外れることは防止される。
【００１１】
このようなヒンジを介して装着された開閉部材は、開閉される際、軸部が軸保持部の係止曲げ部の内周面で円滑に摺動可能に保持されるから、固定部に対し円滑に開閉することができる。
【００１２】
一方、開閉部材を外す場合は、ばね弾性保持部を押さえて、軸保持部に軸部を押し付ける付勢力を解除し、軸部を開口部側に移動させれば、軸保持部から軸部を外して、ヒンジから開閉部材を取り外すことができる。
【００１３】
【発明の実施の形態】
以下、本発明の一実施形態を図面に基づいて説明する。図１はパチンコ遊技機の前面枠の内側に取り付けられる固定部としての機構板１の斜視図を示し、機構板１の略中央の開口部には、向かって左側に開放される保護カバー２の縁部がヒンジ３を介して開閉可能に装着されている。このヒンジ３は、保護カバー２を着脱可能に且つ開閉可能に支持する分離可能なヒンジとして形成され、同じ構造のヒンジ３が上部と下部に設けられる。
【００１４】
ヒンジ３は、図２の部分正面図に示すように、機構板１に設けた軸保持部１０と、保護カバー２の縁部に設けられ、軸保持部１０に回動可能に嵌合保持される軸部１５と、機構板１に設けたばね弾性保持部１１と、保護カバー２の縁部に設けられ、ばね弾性保持部１１によりばね弾性を持って保持される支持軸部１６とから構成される。
【００１５】
図３の断面図に示すように、機構板１の軸保持部１０は、その機構板１における保護カバー２が取り付けられる取付面上に、先端に係止曲げ部１２を設けて突設される。その係止曲げ部１２は、装着される保護カバー２の内側に向けて半円弧状に曲げられ、その係止曲げ部１２の下側半分に、つまり取付面側に開口部１３が設けられている。係止曲げ部１２の内側は滑らかな半円筒状の内周面が形成され、軸部１５が円滑に回動するようにしている。
【００１６】
この軸保持部１０を平面または底面から見た場合、係止曲げ部１２は半円弧形のフック状にその先端を曲げた形状に形成されている。また、軸保持部１０の元部には、補強用の三角形リブ１４が軸保持部１０の平面と直角方向に機構板１の取付面から立設され、充分な補強を行なって、保護カバーの荷重を軸保持部１０で保持する構造としている。
【００１７】
さらに、機構板１には、上記軸保持部１０の下側に、ばね弾性保持部１１が舌状に設けられる。図４に示すように、この舌状のばね弾性保持部１１は、自由端を有した板状に形成され、機構板１上の元部から保護カバーの内側に向けて自由端を突き出し、ばね弾性をもって自由端側を変形可能に形成される。このばね弾性保持部１１は、保護カバー２側に設けた後述の支持軸部１６を背面側から保持して、上記軸保持部１０の係止曲げ部１２側に、つまり機構板１の前面側にばね弾性力を持って押すように形成される。また、ばね弾性保持部１１の先端部寄りは、内側に少し曲がって形成され、保護カバー２の支持軸部１６を係合し易くしている。
【００１８】
保護カバー２側には、軸部１５の下側に且つ軸部１５と同軸位置に、支持軸部１６が突設される。この支持軸部１６は、機構板１側のばね弾性保持部１１から付勢力を機構板１の上面側に受けて保護カバー２の脱落を防止するために設けられる。また、図４に示すように、この支持軸部１６と保護カバー２との間には、板部１７が空間を埋めるように形成され、支持軸部１６を強固に保持している。
【００１９】
保護カバー２を着脱可能に且つ開閉可能に保持するためには、少なくとも一方の側（ここでは内側）からばね弾性力で軸部１５を付勢する必要があるが、軸保持部１０の内側から軸部１５をばね弾性力で保持する部材を設けることは、機構板１の成形上、型抜きなどの問題から大きな困難性が伴う。
【００２０】
このために、上記のように、軸部１５を保持する軸保持部１０の反対側（内側から外側）に付勢力を生じさせるばね弾性保持部１１を機構板１の軸保持部１０の下側位置に設け、保護カバー２側には、軸部１５の下側に軸部１５と同軸上に支持軸部１６を設け、軸部１５を内側から外側に保持する付勢力は、その下側に設けたばね弾性保持部１１から保護カバー２側の支持軸部１６に付与する構造としている。これにより、機構板１と軸保持部１０及びばね弾性保持部１１を合成樹脂の射出成形により容易に一体成形することができる。また、保護カバー２と軸部１５及び支持軸部１６も合成樹脂の射出成形により容易に一体成形することができる。
【００２１】
このように、軸保持部１０及びばね弾性保持部１１は機構板１を合成樹脂により成形する際、一体成形され、また、軸部１５及び支持軸部１６は保護カバー２を合成樹脂により成形する際、一体成形される。そして、機構板１に対し保護カバー２を装着する場合は、図６、図７に示すように、保護カバー２を持って、その上部と下部の支持軸部１６をばね弾性保持部１１の上面に当接させて滑らせながら、上部と下部の軸部１５を機構板１の軸保持部１０に嵌め込む。このとき、軸保持部１０の係止曲げ部１２は半円弧状で、下側に開口部１３が形成されているため、軸部１５を容易に軸保持部１０に嵌め込むことができる。
【００２２】
そして、図１、図３、図４のように、軸部１５を軸保持部１０に嵌め込んだ状態では、ばね弾性保持部１１が支持軸部１６を、軸部１５を軸保持部１０の係止曲げ部１２に押し付ける側に付勢するから、軸部１５が軸保持部１０から容易に外れることは防止される。このようなヒンジ３を介して装着された保護カバー２は、開閉される際、軸部１５が軸保持部１０の係止曲げ部１２の内周面で円滑に摺動可能に保持されるから、機構板１に対し円滑に開閉することができる。
【００２３】
一方、保護カバー２を機構板１から外す場合は、保護カバー２を約９０度程度開いた状態で、ばね弾性保持部１１の先端を内側に押さえながら、軸部１５を内側に移動させて、軸保持部１０の係止曲げ部１２から軸部１５を外し、そのまま保護カバー２を右側にずらすように動かせば、軸部１５が軸保持部１０から外れ、比較的容易に保護カバー２をヒンジ３から外すことができる。
【００２４】
このように、機構板１の中央の開口部を覆う保護カバー２が、ヒンジ３を介して開閉に装着されるため、従来の保護カバーのように、パチンコ遊技機の保守点検の際に外さずに、開放するだけで点検作業を行なうことができる。また、ヒンジ３は、上記のように、ばね弾性保持部１１を押さえながら軸部１５を左側に引けば、固定部に対し可動部を容易に取り外すことができ、また同様に、取り外した保護カバー２の軸部１５を軸保持部１０に嵌め込み、保護カバー２を容易に装着することができる。また、このヒンジ３は、合成樹脂製の機構板１と合成樹脂製の保護カバー２を各々成形する際に、一体成形されるから、別部品のヒンジを取り付ける場合より、部品点数を低減でき、別部品のヒンジを機構板や保護カバーに固定する工数を削減することができる。
【００２５】
なお、上記実施形態では、機構板１に保護カバー２を開閉可能に装着するヒンジについて説明したが、その他の開閉部材を固定部に対し開閉可能に装着する際に、上記構成のヒンジを適用することもできる。
【００２６】
【発明の効果】
以上説明したように、本発明の遊技機用開閉部材のヒンジ構造によれば、固定部には軸保持部が開口部を有して形成され、開閉部材の縁部には軸保持部に開口部を通して回動可能に嵌合される軸部が形成され、開閉部材には軸部に隣接して軸部と同軸上に支持軸部が形成され、固定部には軸保持部に隣接してばね弾性保持部が支持軸部を回動可能に弾性支持するように設けられたから、支持軸部によりばね弾性保持部を押さえながら、軸部を開口部から軸保持部に嵌め込むようにすれば、簡単に開閉部材を固定部に対し開閉可能に且つ着脱可能に装着することができる。また、軸部と支持軸部を開閉部材と共に合成樹脂により一体成形し、軸保持部とばね弾性保持部を固定部と共に合成樹脂により一体成形すれば、部品点数が少なくなり、別部品のヒンジを開閉部材や固定部に取り付けるための作業工数を削減することができる。
【図面の簡単な説明】
【図１】本発明の一実施形態を示すパチンコ遊技機の機構板上に装着された保護カバーの斜視図である。
【図２】同保護カバーのヒンジ部分の部分正面図である。
【図３】図２のＩＩＩ−ＩＩＩ断面図である。
【図４】図２のＩＶ−ＩＶ断面図である。
【図５】保護カバーを外した状態の分解斜視図である。
【図６】保護カバーを外した状態の分解斜視図である。
【図７】保護カバーを外した状態のヒンジ部分の拡大斜視図である。
【符号の説明】
１−機構板
２−保護カバー
３−ヒンジ
１０−軸保持部
１１−ばね弾性保持部
１２−係止曲げ部
１５−軸部
１６−支持軸部
【図１】
2004065442.tif 000003
【図２】
2004065442.tif 000004
【図３】
2004065442.tif 000005
【図４】
2004065442.tif 000006
【図５】
2004065442.tif 000007
【図６】
2004065442.tif 000008
【図７】
2004065442.tif 000009